(57)【要約】      （修正有）【課題】暖炉等、特殊な設備を必要としないで、取り扱いが簡単な螺旋状階使用した暖房器を提供する。【解決手段】建物の上下方向に沿って配置される金属製の管状柱部材１０、及び管状柱部材１０の周囲に螺旋状に接合配置される金属製のステップ部材２０を備え、建物使用者の昇降に供される螺旋階段４０を備え、管状柱部材１０の内部には温水を流す導水管を備え、管状柱部材１０の内部に温水を通過させて螺旋階段４０からの輻射熱で暖房を行う。【選択図】図３
0003215611.tif 000002
【実用新案登録請求の範囲】
【請求項１】
建物の上下方向に沿って配置される金属製の管状柱部材、及び前記管状柱部材の周囲に螺旋状に接合配置される金属製のステップ部材を備え、建物使用者の昇降に供される螺旋階段と、
前記管状柱部材の内部には温水を流す導水管と、
を備え、
前記管状柱部材の内部に温水を通過させて前記螺旋階段からの輻射熱で暖房を行うことを特徴とする暖房器。
【請求項２】
前記管状柱部材は、上端部及び下端部が水密状態に封止され、
前記導水管は、基部が前記管状柱部材の前記下端部に配置され、先端部が前記導水管の前記上端部との間に間隔を空けて配置され、
前記管状柱部材の前記下端部には外部との間に排出部が形成され、
温水を前記導水管の前記基部と前記排出部との間で温水を流し前記管状柱部材を温めることを特徴とする請求項１に記載の暖房器。
【請求項３】
、
前記導水管は、前記管状柱部材の下端部から上方に向けて配置され、更に上端部において下方に向けて曲げられ前記下端部にいたるＵ字状をなし、
前記導水管に温水を通過させ、前記管状柱部材と前記導水管との間の空気層を介して前記管状柱部材を温めることを特徴とする請求項１に記載の暖房器。
【請求項４】
温水供給器を備え、この温水供給器からの温水を、前記導水管を介して循環させることを特徴とする請求項１に記載の暖房器。
【請求項５】
前記管状柱部材の前記上端部に空気抜き弁を配置したことを特徴とする請求項２に記載の暖房器。
【請求項６】
前記導水管にはドレーン弁を備えることを特徴とする請求項１に記載の暖房器。
【考案の詳細な説明】
【技術分野】
【０００１】
本考案は螺旋階段を使用した暖房器に関する。
【背景技術】
【０００２】
従来、螺旋階段を使用した暖房器として特許文献１に記載のものがある。この暖房器は、暖炉の円筒状煙突の周囲に、煙突を軸として螺旋状に階段ステップを設けたものである。この暖房器によれば従来は別々のものであった煙突と階段を組み合わせることにより、別々に設けた場合に比べ必要なスペースを節約できるとともに、デザイン上も斬新さを得られる。
【先行技術文献】
【特許文献】
【０００３】
【特許文献１】特開平１１−１４１０８３
【考案の概要】
【考案が解決しようとする課題】
【０００４】
しかし、特許文献１に記載の暖房器は、暖炉を使用するものであり、暖炉を備えない建物に使用することができない。また、この暖房器は暖炉の燃料である薪の調達や暖房時における薪の補給が面倒である他、地震等の災害時の対処が難しい。
【０００５】
本考案は上述した課題を解決するものであり、暖炉等、特殊な設備を必要としないで、取り扱いが簡単な螺旋状階使用した暖房器を提供することを課題とする。
【課題を解決するための手段】
【０００６】
前記課題を解決する請求項１に記載の考案は、建物の上下方向に沿って配置される金属製の管状柱部材、及び前記管状柱部材の周囲に螺旋状に接合配置される金属製のステップ部材を備え、建物使用者の昇降に供される螺旋階段と、前記管状柱部材の内部には温水を流す導水管と、を備え、前記管状柱部材の内部に温水を通過させて前記螺旋階段からの輻射熱で暖房を行うことを特徴とする暖房器である。
【０００７】
同じく請求項２に記載の考案において、前記管状柱部材は、上端部及び下端部が水密状態に封止され、前記導水管は、基部が前記管状柱部材の前記下端部に配置され、先端部が前記導水管の前記上端部との間に間隔を空けて配置され、前記管状柱部材の前記下端部には外部との間に排出部が形成され、温水を前記導水管の前記基部と前記排出部との間で温水を流し前記管状柱部材を温めることを特徴とする。
【０００８】
同じく請求項３に記載の暖房器は、前記導水管は、前記管状柱部材の下端部から上方に向けて配置され、更に上端部において下方に向けて曲げられ前記下端部にいたるＵ字状をなし、前記導水管に温水を通過させ、前記管状柱部材と前記導水管との間の空気層を介して前記管状柱部材を温めることを特徴とする。
【０００９】
同じく請求項４に記載の考案は、温水供給器を備え、この温水供給器からの温水を、前記導水管を介して循環させることを特徴とする。
【００１０】
同じく請求項５に記載の考案は、前記管状柱部材の前記上端部に空気抜き弁を配置したことを特徴とする。
【００１１】
同じく請求項６に記載の考案は、前記導水管にはドレーン弁を備えることを特徴とする。
【考案の効果】
【００１２】
本考案によれば、暖炉等の特殊な設備を必要とせずに取り扱いが簡単な暖房器を提供でき、更に螺旋階段を使用するのでデザイン性に優れる。
【００１３】
請求項１に係る暖房器によれば、金属製の管状柱部材に内部に配置された導水管から温水が流されるので管状柱部材の温度が上昇し、更に管状柱部材に接合配置される金属製のステップ部の温度が上昇する。このため、管状柱部材及びステップからの輻射熱により暖房が行える。
よって、デザイン性に優れた螺旋階段を暖房器とすることができ、しかも取り扱いが簡単である。
【００１４】
請求項２に記載の暖房器によれば、管状柱部材は上端部及び下端部が水密状態に封止され、導基部が前記管状柱部材の前記下端部に配置され、先端部が前記導水管の上端部との間に間隔を空けて配置され、前記管状柱部材の下端部には外部との間に排出部が形成され、温水を前記導水管の基部と前記排出部との間で温水を流される。
よって、温水は導水管の基部から先端部、更に先端部から管状柱部材に流れ、管状柱部材の下端部の排出部にいたり、管状柱部材及びこの管状柱部材に接合配置されるステップ部材を効率良く温める。
【００１５】
請求項３に記載の暖房器によれば、管状柱部材の下端部から上方に向けて配置され、更に上端部において下方に向けて曲げられ前記下端部にいたるＵ字状の導水管に温水が通過すると前記管状柱部材と前記導水管との間の空気層を介して前記管状柱部材を温める。
よって、管状柱部材には温水が直接接触しないため、管状柱部材が腐食されにくい。
【００１６】
請求項４に記載の暖房器によれば、温水供給器により導水管を介して温水を循環させる。よって、水を効率良く加温することができ、水の消費量や水の加温費用を削減できる。
【００１７】
請求項５に記載の暖房器によれば、管状柱部材の上端には空気抜き弁が配置される。よって、管状柱部材内の加圧を防止することができる。
【００１８】
請求項６に記載の暖房器によれば、導水管にはドレーン弁を備えている。よって、導水管内の水を排出することができ、水の交換を容易に行うことができる。
【図面の簡単な説明】
【００１９】
【図１】本考案の実施形態に係る暖房器を構成する螺旋階段を示すものであり、（ａ）は螺旋階段の正面図、（ｂ）は（ａ）中のＢ−Ｂ線からの矢視図、（ｃ）は（ａ）中のＣ−Ｃ線からの矢視図である。
【図２】図１に示した暖房器を構成する螺旋階段における１段のステップ部を示すものであり、（ａ）は平面図、（ｂ）は正面図である。
【図３】本考案の第１実施形態に係る暖房器の構成を示す模式図である。
【図４】本考案の第２実施形態に係る暖房器の構成を示す模式図である。
【考案を実施するための形態】
【００２０】
本考案を実施するための形態に係る暖房器について説明する。本考案に係る暖房器は、建物の上下方向に沿って配置される金属製の管状柱部材、及び前記管状柱部材の周囲に螺旋状に接合配置される金属製のステップ部材を備え、建物使用者の昇降に供される螺旋階段を備え、前記管状柱部材の内部には温水を流す導水管を備え、前記管状柱部材の内部に温水を通過させて前記螺旋階段からの輻射熱で暖房を行うものである。
【００２１】
本考案に係る暖房器は係る構成により、暖炉等の特殊な設備を必要とせずに取り扱いが簡単な暖房器を提供でき、更に螺旋階段を使用するのでデザイン性に優れる。即ち、本考案に係る暖房器は、金属製の管状柱部材に内部に配置された導水管から温水が流されるので管状柱部材及びこの管状柱部材に接合配置される金属製のステップ部の温度が上昇するため、管状柱部材及びステップからの輻射熱により暖房を行うことができる。
【００２２】
＜実施形態１＞
以下、実施形態に暖房器を構成する螺旋階段について説明する。図１は本考案の実施形態に係る暖房器を構成する螺旋階段を示すものであり、（ａ）は螺旋階段の正面図、（ｂ）は（ａ）中のＢ−Ｂ線からの矢視図、（ｃ）は（ａ）中のＣ−Ｃ線からの矢視図である。
【００２３】
本考案の暖房器５０は螺旋階段４０を温水で加熱してその輻射熱で暖房を行う。螺旋階段４０は、管状柱部材１０の周囲に螺旋状にステップ部材２１〜３０を接合配置して構成される。管状柱部材１０は、建物内部に上下方向に配置され、例えば建物の床面Ｇからの高さ寸法３７００ｍｍ、直径８６ｍｍ、肉厚２ｍｍの鋼管で構成される。管状柱部材１０の先端には木製のキャップ部材１３がはめ込まれている。更に管状柱部材１０は、床面Ｇに埋め込まれ、埋め込みボルト等の公知の構成で固定されている。
【００２４】
管状柱部材１０の周囲には上下方向に例えば約２３０ｍｍの間隔を開けて、１０段のステップ部材２１〜３０が溶接されて固定されている。このステップ部材２１〜３０は建物使用者の昇降に使用される。またステップ部材２１〜３０は管状柱部材１０を中心として２７度（３／４π／１０段＝２７０度／１０段）間隔に配置される。ステップ部材２１〜３０には手すり部材３１を配置することができる。なお、管状柱部材１０の太さ、高さ、及びステップ部材の段数は設置する建物の状態により適宜変更することができる。
【００２５】
図２は図１に示した暖房器を構成する螺旋階段における１段のステップ部を示すものであり、（ａ）は平面図、（ｂ）は正面図である。ステップ部材２１〜３０は同一の構成を備えるので、ここでは単にステップ部材２０として説明する。
【００２６】
ステップ部材２０は、鋼板で構成された扇型のステップ板２０Ａと、このステップ板２０Ａの下面に配置される取付板材２０Ｂを備える。ステップ板２０Ａは半径約８４０ｍｍ、角度は約２７度、厚さ約４．５ｍｍの鋼板２０Ａ１上に、厚さ約３０ｍｍの木板２０Ａ２を配置して構成している。また取付板材２０Ｂは、厚さ約４．５ｍｍの鋼板で構成されこの取付板材２０Ｂがステップ部材２０に溶接して取付けられる。木板２０Ａ２を配置することで、ステップ板２０Ａに触れた人の足が過度に加熱されるのを防止できる。
【００２７】
次に上述した螺旋階段４０を使用した第１実施形態に係る暖房器５０の構成について説明する。図３は本考案の第１実施形態に係る暖房器の構成を示す模式図である。
【００２８】
暖房器５０は、前記管状柱部材１０の内部に温水を流す導水管５１を備える、この導水管５１から管状柱部材１０の内部に温水を供給して通過させ、螺旋階段からの輻射熱で建物内の暖房を行う。
【００２９】
本実施形態に係る暖房器５０では管状柱部材１０の上端部１０Ｕには封止板１２が水密状態に配置される。また管状柱部材１０の上端縁にはキャップ部材１３が配置される。更に封止板１２には空気抜用バルブ１４が配置されている。これにより管状柱部材１０内の加圧を防止することができる。また、管状柱部材１０の下端部１０Ｄには底板１６が水密状態に配置される。
【００３０】
導水管５１は、基部５１Ｄが管状柱部材１０の下端部１０Ｄに配置され、先端部５１Ｔが封止板１２との間に間隔を空けて配置される。導水管５１の先端には開口５１Ａが形成されている。更に、管状柱部材１０の下端部１０Ｄには外部に連通する排出部５５が形成されている。なお、管状柱部材１０の基部５１Ｄには、水抜き用のドレーン弁５８が設けられている。このドレーン弁５８により管状柱部材１０内の水を排出できる。
【００３１】
以上の構成により、管状柱部材１０と導水管５１の間には断面が環状となった温水路１５が形成される。導水管５１には、温水のサプライ側である給湯管５６から電気ボイラー５２の温水、例えば約６０°Ｃの温水が供給される。温水は導水管５１を上昇して先端部５１Ｔの開口５１Ａから基部５１Ｄと排出部５５との間に形成される温水路１５にいたり、温水は温水路１５を上から下に流通して温水のリターン側である排出部５５から排湯管５７を経由して電気ボイラー５２に戻る。なお、ドレーン弁５８を設けることなく、排湯管５７から管状柱部材１０の水を抜くことができる。さらに、導水管５１の水は給湯管５６から抜くことができる。管状柱部材１０内には温水が循環する。なお、符号１７は管状柱部材１０内における温水の液面を示している。
【００３２】
また、管状柱部材１０から電気ボイラー５２ヘの排湯管５７にはダイヤフラム５４設けられ、水の膨張を吸収する。また、電気ボイラー５２はコントローラー５３により運転制御される。コントローラー５３は電気ボイラー５２が送出する温水の温度、量を調整する。例えば建物内に設けられた温度センサーの検出した温度に基づいて自動運転することができる。図３中符号５９は圧力計を示している。
【００３３】
本実施形態に係る暖房器５０では、電気ボイラー５２からの温水が、給湯管５６から導水管５１に流入し、開口５１Ａから管状柱部材１０内の温水路１５を流れ、排出部５５から排湯管５７を経て電気ボイラー５２に戻り、再加熱され同じ経路を循環する。このため、本実施形態に係る暖房器５０では、管状柱部材１０が温水で適度に加熱されて例えば６０°Ｃ程度になり、ステップ部材２１〜３０も管状柱部材１０からの熱で加熱される。よって、水を効率良く加温することができ、水の消費量や水の加温費用を削減できる。
【００３４】
そして、本実施形態に係る暖房器５０では、管状柱部材１０とステップ部材２１〜３０とから発せられる輻射で建物内部を暖房することができる。また、暖房器５０は螺旋階段４０を使用するのでデザイン性に優れる。
【００３５】
＜第２実施形態＞
次に本発明の第２実施形態に係る暖房器６０について説明する。図４は本考案の第２実施形態に係る暖房器の構成を示す模式図である。第２実施形態に係る暖房器６０は、管状柱部材１０内に逆Ｕ字形の導水管６１を配置し、この内部に電気ボイラー６２からの温水を流通させて暖房を行う。
【００３６】
即ち、暖房器６０の、導水管６１は、管状柱部材１０の下端部１０Ｄから上方に向けて配置され、更に上端部１０Ｕにおいて下方に向けて曲げられ下端部１０Ｄにいたる。導水管６１に電気ボイラー６２から温水を通過させ、管状柱部材１０と導水管６１との間の空気層を介して管状柱部材１０を温める。
【００３７】
本実施形態に係る暖房器６０において、導水管６１は例えばステンレス製のフレキシブルパイプを使用できる。また、導水管６１としては他の管、例えば上部に湾曲部を成形した銅管により構成したり、２本の直管上端にベンド部を配置して構成することができる。更に、導水管は直管に限らず、湾曲形成したり、スパイラル状とすることができる。
【００３８】
暖房器６０において、電気ボイラー６２からの温水は給湯管６４から導水管６１に供給され、排湯管６５から電気ボイラー６２に戻る。なお、螺旋階段４０の構成は第１実施形態と同一である。ここで、排湯管６５の導水管６１との接続部は排水部７２を構成する。なお、図４中符号６３は電気ボイラー６２のコントローラー、符号６６はダイヤフラム、符号６７は圧力計、符号６８〜７１は閉止バルブを示している。
【００３９】
第２実施形態に係る暖房器６０によれば、管状柱部材１０には温水が直接接触しないため、管状柱部材が腐食されにくい。また、管状柱部材１０を水密状態とする必要がなく、管状柱部材１０の製造が簡単である。
【００４０】
なお、上記例では、管状柱部材１０内に導水管５１や導水管６１を配置したが、管状柱部材１０の上部と下部といずれかに給水部及び排水部を設け、管状柱部材１０の内部に温水を通過させることができる。また、温水源として電気ボイラーを使用する例を説明したが、温水源はこれに限らずガス、灯油、その他の熱源を利用した装置やヒートポンプを使用した装置とすることができる。
【符号の説明】
【００４１】
１０：管状柱部材
１０Ｄ：下端部
１０Ｕ：上端部
１２：封止板
１３：キャップ部材
１４：空気抜用バルブ
１５：温水路
１６：底板
２０：ステップ部材
２０Ａ：ステップ板
２０Ａ１：鋼板
２０Ａ２：木板
２０Ｂ：取付板材
２１〜３０：ステップ部材
３１：手すり部材
４０：螺旋階段
５０：暖房器
５１：導水管
５１Ａ：開口
５１Ｄ：基部
５１Ｔ：先端部
５２：電気ボイラー
５３：コントローラー
５４：ダイヤフラム
５５：排出部
５６：給湯管
５７：排湯管
５８：ドレーン弁
５９：圧力計
６０：暖房器
６１：導水管
６２：電気ボイラー
６３：コントローラ
６４：給湯管
６５：排湯管
６６：ダイヤフラム
６７：圧力計
６８〜７１：閉止弁
７２：排水部
Ｇ：床面
【図１】
0003215611.tif 000003
【図２】
0003215611.tif 000004
【図３】
0003215611.tif 000005
【図４】
0003215611.tif 000006
【手続補正書】
【提出日】平成30年2月3日(2018.2.3)
【手続補正１】
【補正対象書類名】実用新案登録請求の範囲
【補正対象項目名】全文
【補正方法】変更
【補正の内容】
【実用新案登録請求の範囲】
【請求項１】
建物の上下方向に沿って配置される金属製の管状柱部材、及び前記管状柱部材の周囲に螺旋状に接合配置される金属製のステップ部材を備え、建物使用者の昇降に供される螺旋階段と、
前記管状柱部材の内部には温水を流す導水管と、
を備え、
前記管状柱部材の内部に温水を通過させて前記螺旋階段からの輻射熱で暖房を行うことを特徴とする暖房器。
【請求項２】
前記管状柱部材は、上端部及び下端部が水密状態に封止され、
前記導水管は、基部が前記管状柱部材の前記下端部に配置され、先端部が前記管状柱部材の前記上端部との間に間隔を空けて配置され、
前記管状柱部材の前記下端部には外部との間に排出部が形成され、
温水を前記導水管の前記基部と前記排出部との間で温水を流し前記管状柱部材を温めることを特徴とする請求項１に記載の暖房器。
【請求項３】
前記導水管は、前記管状柱部材の下端部から上方に向けて配置され、更に上端部において下方に向けて曲げられ前記下端部にいたるＵ字状をなし、
前記導水管に温水を通過させ、前記管状柱部材と前記導水管との間の空気層を介して前記管状柱部材を温めることを特徴とする請求項１に記載の暖房器。
【請求項４】
温水供給器を備え、この温水供給器からの温水を、前記導水管を介して循環させることを特徴とする請求項１に記載の暖房器。
【請求項５】
前記管状柱部材の前記上端部に空気抜き弁を配置したことを特徴とする請求項２に記載の暖房器。
【請求項６】
前記導水管にはドレーン弁を備えることを特徴とする請求項１に記載の暖房器。
【手続補正２】
【補正対象書類名】明細書
【補正対象項目名】０００７
【補正方法】変更
【補正の内容】
【０００７】
同じく請求項２に記載の考案において、前記管状柱部材は、上端部及び下端部が水密状態に封止され、前記導水管は、基部が前記管状柱部材の前記下端部に配置され、先端部が前記管状柱部材の前記上端部との間に間隔を空けて配置され、前記管状柱部材の前記下端部には外部との間に排出部が形成され、温水を前記導水管の前記基部と前記排出部との間で温水を流し前記管状柱部材を温めることを特徴とする。
【手続補正３】
【補正対象書類名】明細書
【補正対象項目名】００１４
【補正方法】変更
【補正の内容】
【００１４】
請求項２に記載の暖房器によれば、管状柱部材は上端部及び下端部が水密状態に封止され、導基部が前記管状柱部材の前記下端部に配置され、先端部が前記管状柱部材の上端部との間に間隔を空けて配置され、前記管状柱部材の下端部には外部との間に排出部が形成され、温水を前記導水管の基部と前記排出部との間で温水を流される。
よって、温水は導水管の基部から先端部、更に先端部から管状柱部材に流れ、管状柱部材の下端部の排出部にいたり、管状柱部材及びこの管状柱部材に接合配置されるステップ部材を効率良く温める。